(57)【要約】【課題】  本発明は、従来のデータ記録形式と互換性を保ちつつ、ユーザにデータを識別させるための付加情報を当該データに記録できるようにする。【解決手段】  本発明は、放送局２から放送されるテレビジョン放送信号を受信するフロントエンド回路１３と、受信したテレビジョン放送信号に含まれる情報の一部を抽出し、ＪＰＥＧ形式の静止画像データＤＰとして出力する映像処理回路１５と、静止画像データＤＰを識別するための付加情報ＩＮＦを、ＪＰＥＧ形式を変更することなく当該静止画像データＤＰに埋め込むＣＰＵ１０と、付加情報ＩＮＦを埋め込んだ静止画像データＤＰを記録するハードディスクドライブ２０及びメモリカードモジュール２１とを設けるようにしたことにより、ＪＰＥＧ形式を維持して互換性を保ったまま、ユーザに静止画像データＤＰを容易に識別させ得る付加情報ＩＮＦを当該静止画像データＤＰに埋め込むことができる。【選択図】        図４
2005229523.tif 000002
【特許請求の範囲】
【請求項１】
放送局から放送されるテレビジョン放送信号を受信する受信手段と、
上記受信したテレビジョン放送信号に含まれる情報の一部を抽出し、所定のデータ形式でなる抽出情報として出力する抽出手段と、
上記抽出情報を識別するための付加情報を、当該抽出情報のデータ形式を変更することなく当該抽出情報に埋め込む付加情報埋込手段と、
上記付加情報を埋め込んだ上記抽出情報を記録媒体に記録する記録手段と
を具えることを特徴とするテレビジョン受信機。
【請求項２】
上記テレビジョン放送信号から番組ガイド情報を抽出する番組ガイド情報抽出手段
を具え、
上記抽出手段は、上記放送番組の映像及び又は音声の一部を上記抽出情報として抽出し、
上記付加情報埋込手段は、上記番組ガイド情報を上記付加情報として上記抽出情報に埋め込む
ことを特徴とする請求項１に記載のテレビジョン受信機。
【請求項３】
上記付加情報埋込手段は、上記付加情報を上記抽出情報に埋め込む方法として電子透かしを用いる
ことを特徴とする請求項１に記載のテレビジョン受信機。
【請求項４】
放送局から放送されるテレビジョン放送信号に含まれる情報の一部を抽出し、所定のデータ形式でなる抽出情報として出力する抽出ステップと、
上記抽出情報を識別するための付加情報を、当該抽出情報のデータ形式を変更することなく当該抽出情報に埋め込む付加情報埋込ステップと、
上記付加情報を埋め込んだ上記抽出情報を記録媒体に記録する記録ステップと
を具えることを特徴とする付加情報記録方法。
【請求項５】
情報処理装置に対して、
放送局から放送されるテレビジョン放送信号に含まれる情報の一部を抽出し、所定のデータ形式でなる抽出情報として出力する抽出ステップと、
上記抽出情報を識別するための付加情報を、当該抽出情報のデータ形式を変更することなく当該抽出情報に埋め込む付加情報埋込ステップと、
上記付加情報を埋め込んだ上記抽出情報を記録媒体に記録する記録ステップと
を実行させることを特徴とする付加情報記録プログラム。
【発明の詳細な説明】
【技術分野】
【０００１】
本発明はテレビジョン受信機及び付加情報記録方法に関し、例えば１フレームの映像から静止画像データを生成して記録及び再生を行うテレビジョン受像機に適用して好適なものである。
【背景技術】
【０００２】
従来、テレビジョン受像機においては、放送局からの放送波に含まれるＥＰＧ（電子番組ガイド：Electric Program Guide）情報を取得するようになされたものがあり、さらに当該取得したＥＰＧ情報を挿抜自在なメモリカードに記録できるようになされたものがある（例えば、特許文献１参照）。
【０００３】
またテレビジョン受像機の中には、表示している映像の１フレームをＪＰＥＧ（Joint Photographic coding Experts Group）形式の静止画像データとしてメモリカードに記録できるようになされたものがあり、当該メモリカードから当該静止画像データを読み出して静止画像を表示画面に再生表示することができる。
【０００４】
また、一般のパーソナルコンピュータ等においても、当該メモリカードを挿着することによって当該静止画像データを読み出して再生表示することができる。
【特許文献１】特開２００１−３０９３４０公報（第１９頁、第２図）
【発明の開示】
【発明が解決しようとする課題】
【０００５】
ここで、テレビジョン受像機がＥＰＧ情報等の付加情報を静止画像データに付加して記録することができれば、当該静止画像データを再生する際に、多数の静止画像データの中から当該付加情報を参考にユーザの所望する静止画像データを容易に選択させることができ、一段と利便性が向上するものと考えられる。
【０００６】
ところがＪＰＥＧ形式等のデータ記録形式においては、任意の付加情報を付加し得るようには規定されていない。
【０００７】
このためテレビジョン受像機は、静止画像データに独自の付加情報を付加すると、当該テレビジョン受像機では当該静止画像データ及び当該付加情報を正しく読み出せるものの、当該静止画像データの互換性が失われてしまうため、パーソナルコンピュータ等の他の機器では、当該付加情報を正しく読み出せなかったり、或いは当該静止画像データそのものを正しく読み出せない可能性があるという問題があった。
【０００８】
本発明は以上の点を考慮してなされたもので、従来のデータ形式と互換性を保ちつつ、ユーザにデータを識別させるための付加情報を当該データに記録し得るテレビジョン受信機及び付加情報記録方法を提案しようとするものである。
【課題を解決するための手段】
【０００９】
かかる課題を解決するため本発明のテレビジョン受信機においては、放送局から放送されるテレビジョン放送信号を受信する受信手段と、受信したテレビジョン放送信号に含まれる情報の一部を抽出し、所定のデータ形式でなる抽出情報として出力する抽出手段と、抽出情報を識別するための付加情報を、当該抽出情報のデータ形式を変更することなく当該抽出情報に埋め込む付加情報埋込手段と、付加情報を埋め込んだ抽出情報を記録媒体に記録する記録手段とを設けるようにした。
【００１０】
これにより、データ形式を維持して互換性を保ったまま、ユーザにデータを容易に識別させ得る付加情報をデータに埋め込むことができる。
【００１１】
また本発明の付加情報記録方法においては、放送局から放送されるテレビジョン放送信号に含まれる情報の一部を抽出し、所定のデータ形式でなる抽出情報として出力する抽出ステップと、抽出情報を識別するための付加情報を、当該抽出情報のデータ形式を変更することなく当該抽出情報に埋め込む付加情報埋込ステップと、付加情報を埋め込んだ抽出情報を記録媒体に記録する記録ステップとを設けるようにした。
【００１２】
これにより、データ形式を維持して互換性を保ったまま、ユーザにデータを容易に識別させ得る付加情報をデータに埋め込むことができる。
【００１３】
また本発明の付加情報記録プログラムにおいては、放送局から放送されるテレビジョン放送信号に含まれる情報の一部を抽出し、所定のデータ形式でなる抽出情報として出力する抽出ステップと、抽出情報を識別するための付加情報を、当該抽出情報のデータ形式を変更することなく当該抽出情報に埋め込む付加情報埋込ステップと、付加情報を埋め込んだ抽出情報を記録媒体に記録する記録ステップとを設けるようにした。
【００１４】
これにより、データ形式を維持して互換性を保ったまま、ユーザにデータを容易に識別させ得る付加情報をデータに埋め込むことができる。
【発明の効果】
【００１５】
本発明によれば、データ形式を維持して互換性を保ったまま、ユーザにデータを容易に識別させ得る付加情報をデータに埋め込むことができ、かくして従来のデータ形式と互換性を保ちつつ、ユーザにデータを識別させるための付加情報を当該データに記録し得るテレビジョン受信機及び付加情報記録方法を実現できる。
【発明を実施するための最良の形態】
【００１６】
以下、図面について、本発明の一実施の形態を詳述する。
【実施例】
【００１７】
（１）テレビジョン放送受信システムの全体構成
図１において、１は全体として本発明によるテレビジョン放送受信システムの全体構成を示し、テレビジョン放送局２からアンテナ３を介して受信したテレビジョン放送信号をテレビジョン受像機４で受信するようになされている。
【００１８】
またテレビジョン受像機４は、リモートコントローラ（以下リモコンと呼ぶ）５の操作を介したユーザからの指示に基づいて、表示中の映像から１フレームの静止画像を取り込み、これを静止画像データＤＰとしてメモリカード６に記録し得るようになされている。
【００１９】
一方パーソナルコンピュータ７は、メモリカード６を挿着可能なメモリカードスロットを有しており、当該メモリカードスロットに挿着されたメモリカード６から静止画像データＤＰを読み出して表示部に静止画像を表示できるようになされている。
【００２０】
（２）テレビジョン受像機の構成
テレビジョン受像機４は、図２に示すように、ＣＰＵ（Central Processing Unit）１０がバス１２を介して全体を統括制御するようになされており、ＲＡＭ（Random Access Memory）１１をワークエリアとして使用しながら、図示しないＲＯＭ（Read Only Memory）から読み出したＯＳ（Operational System）等の基本プログラムや付加情報記録プログラム等の各種アプリケーションプログラムに従って各種処理を実行するようになされている。
【００２１】
ここでリモートコントローラ５には、テレビジョン受像機４の受信チャンネルを変更するチャンネルボタン（図示せず）や音量を調整するための音量ボタン（図示せず）等が設けられ、さらにテレビジョン受像機４に表示されている１フレームの映像を静止画像として記録するための「静止画像記録」ボタン（図示せず）、及び当該静止画像をテレビジョン受像機４に表示する（以下このことを再生と呼ぶ）ための「静止画像再生」ボタン（図示せず）が設けられている。
【００２２】
リモコン受光部２２は、ユーザの操作指示に応じてリモートコントローラ５から発射された赤外光を受光し、これを操作指示信号Ｓ１に変換しバス１２を介してＣＰＵ１０へ送出する。
【００２３】
フロントエンド（Ｆ／Ｅ）回路１３は、アンテナ３（図１）で受信したテレビジョン放送信号Ｓ２から、ユーザによって選択されたチャンネル（放送局）のトランスポートストリームＤ１を抽出し、これをデコーダ１４へ送出する。
【００２４】
デコーダ１４は、フロントエンド回路１３から取得したトランスポートストリームＤ１に所定の分離処理等を施して映像データＤ２Ｖ及び音声データＤ２Ａを生成し、それぞれ映像処理回路１４及び音声処理回路１５へ送出する。
【００２５】
映像処理回路１５は、デコーダ１４から取得した映像データＤ２Ｖに所定の増幅処理や高画質化処理等を施すことによって映像信号Ｓ３Ｖを生成し、これを表示部１７へ送出することによって当該表示部１７に映像を表示させる。
【００２６】
同時に音声処理回路１６は、デコーダ１４から取得した音声データＤ２Ａに所定のステレオ対応処理やアナログ変換処理等を施すことによって音声信号Ｓ３Ａを生成し、これをスピーカ１８へ送出することによって当該スピーカ１８から音声を出力させる。
【００２７】
またデコーダ１４は、フロントエンド回路１３から取得したトランスポートストリームに含まれるＥＰＧデータＤ２Ｅを抽出し、これをＣＰＵ１０へ送出するようになされている。
【００２８】
そしてＣＰＵ１０は、デコーダ１４から取得したＥＰＧデータＤ２ＥをＲＡＭ１１に蓄積するようになされている。
【００２９】
ちなみにＣＰＵ１０は、ＥＰＧデータＤ２Ｅをトランスポートストリームから抽出する以外にも、ディジタル衛星放送の特定チャンネルを介して１日に数回所定時間に取得するようにしたり、或いはインターネットの所定のサーバから取得する等、他の手法を用いて当該ＥＰＧデータＤ２Ｅを取得するようにしても良い。
【００３０】
またＣＰＵ１０は、ユーザによるＥＰＧ操作指示に応じて、このＥＰＧデータＤ２ＥからＥＰＧ情報を抽出して映像処理回路１５へ送出し、当該映像処理回路１５によってＥＰＧ表示映像信号Ｓ４を生成させ、これを表示部１７へ送出させることによって当該ＥＰＧ情報を当該ユーザに通知する。
【００３１】
このようにテレビジョン受像機４は、受信したテレビジョン放送信号Ｓ２に基づいてテレビジョン放送の映像を表示部１７に表示すると共に音声をスピーカ１８から出力し、またＥＰＧ情報を表示部１７に表示するようになされている。
【００３２】
かかる構成に加えテレビジョン受像機４のＣＰＵ１０は、映像処理回路１５から出力中の映像の１フレームをＪＰＥＧ（Joint Photographic coding Experts Group）形式の静止画像として取り込み、これを静止画像データＤＰとしてハードディスクドライブ（ＨＤＤ）２０又はメモリカード６に記録できるようになされている。
【００３３】
ＣＰＵ１０は、リモコン受光部２２から送出される操作指示信号Ｓ１に基づいてリモートコントローラ５の「静止画像記録」ボタンが押下操作されたことを認識すると、映像処理回路１５から出力中の１フレームの映像データを取得し、これを圧縮し符号化することによりＪＰＥＧ形式の静止画像データＤＰを生成してインタフェース（Ｉ／Ｆ）回路１９へ送出する。
【００３４】
インタフェース回路１９は、映像データ及び音声データ等の入出力処理を行うようになされており、ＣＰＵ１０から取得したＪＰＥＧ形式の静止画像データＤＰを、ハードディスクドライブ（ＨＤＤ）２０又はメモリカードモジュール２１へ送出する。
【００３５】
ハードディスクドライブ２０は、インタフェース回路１９から取得した静止画像データＤＰを内蔵するハードディスクに書き込む。
【００３６】
メモリカードモジュール２１は、図３に示すように、メモリカードモジュールＣＰＵ２１Ａによって制御されるようになされており、スロット２１Ｂにメモリカード６が挿着されることによって当該メモリカード６と電気的に接続し、当該メモリカード６に内蔵された不揮発性メモリ（図示せず）に対して書き込み及び読み出しを行い得るようになされている。
【００３７】
これによりメモリカードモジュール２１は、インタフェース回路１９から取得した静止画像データＤＰをメモリカード６に書き込む。
【００３８】
さらにテレビジョン受像機４は、ハードディスクドライブ（ＨＤＤ）２０又はメモリカード６から静止画像データＤＰを読み出し、表示部１７に静止画像を表示（すなわち再生）できるようになされている。
【００３９】
ＣＰＵ１０は、リモコン受光部２２から送出される操作指示信号に基づいてリモートコントローラ５の「静止画像再生」ボタンが押下操作されたことを認識すると、インタフェース回路１９を介してハードディスクドライブ２０又はメモリカードモジュール２１を制御するようになされている。
【００４０】
これに応じてハードディスクドライブ２０は、内蔵するハードディスクから静止画像データＤＰを読み出してインタフェース回路１９へ送出する。
【００４１】
またメモリカードモジュール２１は、メモリカード６から静止画像データＤＰを読み出してインタフェース回路１９へ送出する。
【００４２】
インタフェース回路１９は、メモリカードモジュール２１に挿着されたメモリカード６又はハードディスクドライブ２０から静止画像データＤＰを取得し、これをＣＰＵ１０へ送出する。
【００４３】
このときＣＰＵ１０は、インタフェース回路１９から取得した静止画像データＤＰに所定の復号化処理等を施すことによって映像信号を生成し、これを映像処理回路１５へ送出することにより表示部１７に静止画像を表示させる。
【００４４】
このようにテレビジョン受像機４は、ユーザの操作に応じて、静止画像データＤＰの記録及び再生を行うようになされている。
【００４５】
（３）静止画像への付加情報の埋め込み
ところでテレビジョン受像機４は、静止画像データＤＰを記録する際に、当該静止画像データＤＰにキーワード、ユーザ名及びテレビジョン番組の番組名でなる付加情報ＩＮＦを埋め込んで記録できるようになされている。
【００４６】
ここでキーワードとしては、例えば「ニュース」「ドラマ」といったテレビジョン番組のジャンルや、任意の文字列を入力できるようになされており、さらに何も指定しない（すなわち空白のままとする）こともできるようになされている。
【００４７】
またユーザ名としては、例えば予め用意された「父」「母」といった選択肢から選択するか、又は任意のユーザ名を入力できるようになされているが、必ず何らかのユーザ名を指定するようになされている。
【００４８】
そしてテレビジョン受像機４は、キーワード及びユーザ名とＥＰＧ情報から抽出したテレビジョン番組の番組名とをまとめて付加情報ＩＮＦとし、当該付加情報ＩＮＦを静止画像データＤＰに電子透かし技術を用いて埋め込む。
【００４９】
ここで電子透かし技術では、人間に知覚されない程度にデータ自体に情報を分散して埋め込むため、当該情報を埋め込むことによる当該データの変化を人間に認識させることなく、且つデータの記録形式を一切変更せず互換性を保ち得るようになされている。
【００５０】
このためテレビジョン受像機４は、電子透かし技術を用いることにより、静止画像データＤＰの記録形式（すなわちＪＰＥＧ形式）を保ったままで、静止画像の変化をユーザに覚られることなく、付加情報ＩＮＦを当該静止画像データＤＰに埋め込むことができる。
【００５１】
なおテレビジョン受像機４は、付加情報ＩＮＦを埋め込んだ静止画像データＤＰをハードディスクドライブ２０に記録する以外にも、当該静止画像データＤＰをメモリカード６に記録できるようになされており、さらに当該ハードディスクドライブ２０と当該メモリカード６との間で当該静止画像データＤＰを互いに授受できるようになされている。
【００５２】
（４）静止画像の記録処理
実際上テレビジョン受像機４は、静止画像データＤＰを記録する際に、図４に示す静止画像記録処理手順ＲＴ１に従って処理を行うようになされている。
【００５３】
すなわちユーザによりリモートコントローラ５の「静止画像記録」ボタンが押下操作されると、テレビジョン受像機４のＣＰＵ１０は、これに応じた操作指示信号Ｓ１をリモコン受光部２２から取得し、静止画像記録処理手順ＲＴ１を開始してステップＳＰ１へ移る。
【００５４】
ステップＳＰ１においてＣＰＵ１０は、このとき表示部１７に表示させている映像を基に映像処理回路１５によってＪＰＥＧ形式の静止画像データＤＰを生成させ、これを当該ＣＰＵ１０へ送出させる。
【００５５】
ここでＣＰＵ１０は、取得した静止画像データＤＰをＲＡＭ１１に書き込んで保持させ、次のステップＳＰ２へ移る。
【００５６】
ステップＳＰ２においてＣＰＵ１０は、図５に示すようなＧＵＩ（Graphical User Interface）形式でなる付加情報記録確認画面３１を表示部１７に表示させ、これに対するユーザの操作指示を受け付けることによって、静止画像データＤＰに付加情報ＩＮＦを埋め込むか否かを判定する。
【００５７】
ここで否定結果が得られると、このことはユーザが静止画像データＤＰに付加情報ＩＮＦを埋め込まない意思を示したことを表しており、このときＣＰＵ１０は、静止画像データＤＰをそのまま記録するために次のステップＳＰ３に移る。
【００５８】
ステップＳＰ３においてＣＰＵ１０は、インタフェース回路１９へ静止画像データＤＰを送出し、これをハードディスクドライブ２０に記録させて、次のステップＳＰ７へ移ってこの静止画像記録処理手順ＲＴ１を終了する。
【００５９】
一方ステップＳＰ２において肯定結果が得られると、このことはユーザが静止画像データＤＰに付加情報ＩＮＦを埋め込む意思を示したことを表しており、このときＣＰＵ１０は次のステップＳＰ４へ移る。
【００６０】
ステップＳＰ４においてＣＰＵ１０は、付加情報ＩＮＦを選択又は入力させるために、まず図６に示すキーワード選択画面３２を表示部１７に表示させて、ユーザにキーワードを指定させる。
【００６１】
ここでＣＰＵ１０は、キーワード選択画面３２に、選択される頻度が高いテレビジョン番組のジャンル「ニュース」「ドラマ」を表示して選択させることに加えて、「新規作成」が選択された場合に、図７に示すキーワード入力画面３３を表示することによって、任意のキーワードをユーザに入力させることができる。
【００６２】
さらにＣＰＵ１０は、キーワード入力画面３３の「ユーザ選択」ボタンの押下操作を受け付けることによって図８に示すユーザ選択画面３４を表示部１７に表示させ、ユーザにユーザ名を指定させる。
【００６３】
ここでＣＰＵ１０は、ユーザ選択画面３４に、選択される頻度が高いユーザ名「父」「母」を表示して選択させる以外にも、「新規作成」が選択された場合に、任意のユーザ名をユーザに入力させることができる。
【００６４】
続いてＣＰＵ１０はステップＳＰ５へ移り、選択又は入力されたキーワード（例えば「ニュース」）及びユーザ名（例えば「父」）とＲＡＭ１１に蓄積しているＥＰＧ情報から抽出したテレビジョン番組名とを付加情報ＩＮＦとし、ＲＡＭ１１に保持している静止画像データＤＰに対して電子透かしによって当該付加情報ＩＮＦを埋め込み、次のステップＳＰ６へ移る。
【００６５】
ステップＳＰ６においてＣＰＵ１０は、付加情報ＩＮＦを埋め込んだ静止画像データＤＰをハードディスクドライブ２０へ記録させ、次のステップＳＰ７へ移ってこの静止画像記録処理手順ＲＴ１を終了する。
【００６６】
（５）テレビジョン受像機による静止画像の再生
ところでテレビジョン受像機４は、ユーザの操作に応じて、ハードディスクドライブ２０に記録した静止画像データＤＰを読み出す（すなわち再生する）際に、図９に示すように、ＧＵＩ形式の再生画像選択画面４０を表示する。
【００６７】
このときテレビジョン受像機４は、再生画像選択画面４０において、画面左側にメニュー４１を表示し、当該画面の残りの部分に静止画像を小さく表示したサムネール画像４２（４２Ａ、４２Ｂ、４２Ｃ、４２Ｄ、…）を整列して表示する。
【００６８】
さらにテレビジョン受像機４は、各静止画像データＤＰにそれぞれ電子透かし技術を用いて埋め込まれた付加情報ＩＮＦ（キーワード、ユーザ名及び番組名）を読み出し、その中から番組名及びメモ（キーワード）をそれぞれサムネール画像４２の下に画像情報４３（４３Ａ、４３Ｂ、４３Ｃ、４３Ｄ、…）として表示する。
【００６９】
このようにテレビジョン受像機４は、付加情報ＩＮＦに基づく画像情報４３をユーザに参照させることにより、当該ユーザに各静止画像データＤＰを容易に識別させることができるので、当該ユーザが所望する静止画像データＤＰを容易に選択させることができる。
【００７０】
ところでテレビジョン受像機４は、当該テレビジョン受像機４の電源投入時に所定のユーザ名選択画面を表示することによって、ユーザ名（例えば「父」）を選択させるようになされている（以下、ここで選択されたユーザ名を初期ユーザ名と呼ぶ）。
【００７１】
そしてテレビジョン受像機４は、再生画像選択画面４０を表示する際に、付加情報ＩＮＦに初期ユーザ名が含まれる静止画像データＤＰのみのサムネール画像４２を表示するか、或いは全ての静止画像データＤＰのサムネール画像４２を表示するかをユーザに選択させるようになされている。
【００７２】
これによりテレビジョン受像機４は、例えば家族それぞれによって多数の静止画像をハードディスクドライブ２０に記録していたとしても、初期ユーザ名の静止画像データＤＰのサムネール画像４２だけを表示することにより、ユーザが所望する静止画像データＤＰをより容易に探させることができる。
【００７３】
さらにテレビジョン受像機４は、メニュー４１の「メモ内容検索」ボタンの押下操作を受け付けることによって、付加情報ＩＮＦにユーザから指定されたキーワード（例えば「ニュース」）を含む静止画像データＤＰのみを検索して抽出できるようになされている。
【００７４】
このようにテレビジョン受像機４は、各静止画像データＤＰに埋め込まれた付加情報ＩＮＦを読み出して、多数の静止画像データＤＰの中から、ユーザに指定されたキーワードに基づいて絞り込むことにより、ユーザに所望の静止画像データＤＰを一段と容易に選択させ得るようになされている。
【００７５】
（６）テレビジョン受像機による静止画像の再生処理手順
実際上テレビジョン受像機４は、静止画像データＤＰを再生する際に、図１０に示すテレビジョン受像機による静止画像再生処理手順ＲＴ２に従って処理を行うようになされている。
【００７６】
すなわちテレビジョン受像機４のＣＰＵ１０は、電源が投入されることによってテレビジョン受像機による静止画像再生処理手順ＲＴ２を開始し、ステップＳＰ１１へ移る。
【００７７】
ステップＳＰ１１においてＣＰＵ１０は、図８に示したユーザ選択画面３４を表示することによって初期ユーザ名（例えば「父」）を選択させ、次のステップＳＰ１２へ移る。
【００７８】
ステップＳＰ１２においてＣＰＵ１０は、リモコン受光部２２から送出される操作指示信号Ｓ１に基づいて、リモートコントローラ５の「静止画像再生」ボタンがユーザによって押下操作されたことを認識し、次のステップＳＰ１３へ移る。
【００７９】
ステップＳＰ１３においてＣＰＵ１０は、ハードディスクドライブ２０に記録された全ての静止画像データＤＰから、それぞれ埋め込まれた付加情報ＩＮＦを読み出してＲＡＭ１１に一時的に保持し、次のステップＳＰ１４へ移る。
【００８０】
ステップＳＰ１４においてＣＰＵ１０は、例えば「父の静止画像のみ表示しますか？」といった内容の所定の質問画面を表示してユーザからの操作指示を受け付けることにより、付加情報ＩＮＦに初期ユーザ名を含む静止画像データＤＰのみを表示するか否かを判定する。
【００８１】
ここで否定結果が得られると、このことは全ての静止画像データＤＰの中から、ユーザが所望の静止画像データＤＰを選択する意思を示したことを表しており、このときＣＰＵ１０はステップＳＰ１５へ移って、ハードディスクドライブ２０に記録した全ての静止画像データＤＰについて、再生画像選択画面４０（図９）にサムネール画像４２及び画像情報４３を整列して表示し、次のステップＳＰ１７へ移る。
【００８２】
このときＣＰＵ１０は、再生画像選択画面４０上に、サムネール画像４２に加えて画像情報４３を表示させることにより、ユーザに静止画像データＤＰを選択させる際の参考とさせることができる。
【００８３】
一方ステップＳＰ１４において肯定結果が得られると、このことは付加情報ＩＮＦに初期ユーザ名を含む静止画像データＤＰに絞った中から、ユーザが所望の静止画像データＤＰを選択する意思を示したことを表しており、このときＣＰＵ１０はステップＳＰ１６へ移る。
【００８４】
ステップＳＰ１６においてＣＰＵ１０は、ＲＡＭ１１に一時的に保持した全ての付加情報ＩＮＦのうち初期ユーザ名を含むもののみを検索して抽出し、再生画像選択画面４０上に対応するサムネール画像４２と共に画像情報４３を整列して表示し、次のステップＳＰ１７へ移る。
【００８５】
このときＣＰＵ１０は、付加情報ＩＮＦに初期ユーザ名が含まれる静止画像データＤＰのみ抽出することにより、ユーザが指定した条件に合致する静止画像データＤＰのサムネール画像４２のみに絞り込んで表示させることができるので、全ての静止画像データＤＰのサムネール画像４２を表示させた場合と比較して、ユーザが所望する静止画像を容易に探し出させることができる。
【００８６】
ステップＳＰ１７においてＣＰＵ１０は、メニュー４１内に表示した「メモ内容検索」ボタン４１Ａの押下操作をユーザから受け付けたか否かを判定する。ここで肯定結果が得られると、このことはユーザがメモ（すなわちキーワード）を基に絞り込みを行う意思を示したことを表しており、このときＣＰＵ１０はステップＳＰ１８へ移る。
【００８７】
ステップＳＰ１８においてＣＰＵ１０は、表示部１７にキーワード選択画面３２（図６）を表示させてユーザに選択させると共に、「ニュース」「ドラマ」といったキーワードが選択されたか否か（すなわち「新規作成」が選択されたか）を判定する。
【００８８】
ここで肯定結果が得られると、このことは表示した選択肢の中からユーザがキーワードを選択したことを表しており、このときＣＰＵ１０は次のステップＳＰ２０へ移る。
【００８９】
一方ステップＳＰ１８において否定結果が得られると、このことは「新規作成」が選択されて、キーワード選択画面３２に表示した選択肢以外のキーワードをユーザが入力する意思を示したことを表しており、このときＣＰＵ１０は次のステップＳＰ１９へ移る。
【００９０】
ステップＳＰ１９においてＣＰＵ１０は、表示部１７にキーワード入力画面３３（図７）を表示させてユーザにキーワードを直接入力させ、次のステップＳＰ２０へ移る。
【００９１】
ステップＳＰ２０においてＣＰＵ１０は、現在サムネールを表示中の静止画像データＤＰのなかから、選択又は入力されたキーワードを付加情報ＩＮＦに含む静止画像データＤＰを検索して抽出し、再生画像選択画面４０（図９）にサムネール画像４２及び画像情報４３を整列して表示して、次のステップＳＰ２１へ移る。
【００９２】
ステップＳＰ２１においてＣＰＵ１０は、ユーザからの所定の操作指示によって選択されたサムネールの静止画像を表示部１７全体に表示（すなわち再生）させた後、再度ステップＳＰ１７に戻り、次に再生する静止画像を選択させる。
【００９３】
このときＣＰＵ１０は、選択又は入力されたキーワードが付加情報ＩＮＦに含まれる静止画像データＤＰのみ抽出することにより、ユーザが指定した条件に合致する静止画像データＤＰのサムネール画像４２のみに絞り込んで表示させることができるので、全ての静止画像データＤＰのサムネール画像４２を表示させた場合と比較して、ユーザが所望する静止画像を容易に探し出させることができる。
【００９４】
ちなみにＣＰＵ１０は、静止画像の再生を終了する所定の操作指示をユーザから受け付けた時点で、テレビジョン受像機による静止画像再生処理手順ＲＴ２を終了する。
【００９５】
（７）パーソナルコンピュータの構成
一方パーソナルコンピュータ７は、図１１に示すように、ＣＰＵ５０によって全体を統括制御するようになされており、バス５１を介して接続されたＲＯＭ５２やハードディスクドライブ５３から読み出したＯＳ等の基本プログラムや静止画像再生プログラム等の各種アプリケーションプログラムをＲＡＭ５４に展開して実行するようになされている。
【００９６】
操作部５５は、ユーザからの操作指示に基づいた指示信号をＣＰＵ５０へ送出し、また表示処理部５６はＣＰＵ５０の制御に基づいて表示部５７に表示内容を表示させる。
【００９７】
メモリカードスロット５８は、メモリカード６を挿着し得るようになされており、当該メモリカード６に記録された静止画像データＤＰ等の各種データを読み出してＣＰＵ５０へ送出するようになされている。
【００９８】
（８）パーソナルコンピュータによる静止画像の再生
パーソナルコンピュータ７は、ＯＳの標準的な機能として、ＪＰＥＧ形式で記録された静止画像データＤＰを表示部５７に表示（すなわち再生）する機能を有しており、ユーザによる所定の操作に基づいて、テレビジョン受像機４で記録された静止画像データＤＰをメモリカード６から読み出して再生できるようになされている。
【００９９】
このときパーソナルコンピュータ７は、ＪＰＥＧ形式で記録されている静止画像データＤＰを読み出して静止画像を再生できるものの、電子透かし技術を用いて埋め込まれた付加情報ＩＮＦを読み出すことはできない。
【０１００】
しかしパーソナルコンピュータ７は、情報付加静止画像再生プログラムをインストールして実行することにより、静止画像データＤＰに埋め込まれた付加情報ＩＮＦを読み出すことができ、またテレビジョン受像機４の場合と同様に、表示部５７に再生画像選択画面４０（図８）内にサムネール画像４２及び画像情報４３をを表示させるようになされている。
【０１０１】
これによりパーソナルコンピュータ７は、テレビジョン受像機４と同様に、付加情報ＩＮＦに基づく画像情報４３をユーザに参照させることにより、当該ユーザに各静止画像データＤＰを容易に識別させることができるので、当該ユーザが所望する静止画像データＤＰを容易に選択させることができる。
【０１０２】
さらにパーソナルコンピュータ７は、テレビジョン受像機４と同様に、読み出した付加情報ＩＮＦを用いて静止画像データＤＰの検索や抽出を行うことができるので、多数の静止画像データＤＰの中からユーザが所望する静止画像データＤＰを一段と容易に選択させることができる。
【０１０３】
（９）パーソナルコンピュータによる静止画像の再生処理手順
実際上パーソナルコンピュータ７は、静止画像データＤＰを再生する際に、図１２に示すパーソナルコンピュータによる静止画像再生処理手順ＲＴ３に従って処理を行うようになされている。
【０１０４】
すなわちパーソナルコンピュータ７のＣＰＵ５０は、電源が投入された後、ＯＳを起動してユーザからの操作指示を待ち受けており、このとき情報付加静止画像再生プログラムを起動する操作指示を受け付けると、パーソナルコンピュータによる静止画像再生処理手順ＲＴ３を開始してステップＳＰ３１へ移る。
【０１０５】
ステップＳＰ３１においてＣＰＵ５０は、図８に示したユーザ選択画面３４を表示部５７に表示させることによって初期ユーザ名を選択させ、次のステップＳＰ３２へ移る。
【０１０６】
ステップＳＰ３２においてＣＰＵ５０は、メモリカード６に記録された全ての静止画像データＤＰから、電子透かし技術を用いてそれぞれ埋め込まれた付加情報ＩＮＦを読み出してＲＡＭ５４に一時的に保持し、次のステップＳＰ３３へ移る。
【０１０７】
ステップＳＰ３３においてＣＰＵ５０は、例えば「父の静止画像のみ表示しますか？」といった内容の質問画面を表示部５７に表示させてユーザからの操作指示を受け付けることにより、付加情報ＩＮＦに初期ユーザ名を含む静止画像データＤＰのみを表示するか否かを判定する。
【０１０８】
ここで否定結果が得られると、このことは全ての静止画像データＤＰの中から、ユーザが所望の静止画像データＤＰを選択する意思を示したことを表しており、このときＣＰＵ５０はステップＳＰ３４へ移って、メモリカード６に記録された全ての静止画像データＤＰについて、再生画像選択画面４０（図９）にサムネール画像４２及び画像情報４３を整列して表示し、次のステップＳＰ３６へ移る。
【０１０９】
このときＣＰＵ５０は、再生画像選択画面４０上に、サムネール画像４２に加えて画像情報４３を表示させることにより、ユーザに静止画像データＤＰを選択させる際の参考とさせることができる。
【０１１０】
一方ステップＳＰ３３において肯定結果が得られると、このことは付加情報ＩＮＦに初期ユーザ名を含む静止画像データＤＰに絞った中から、ユーザが所望の静止画像データＤＰを選択する意思を示したことを表しており、このときＣＰＵ５０はステップＳＰ３５へ移る。
【０１１１】
ステップＳＰ３５においてＣＰＵ５０は、ＲＡＭ５４に一時的に保持した全ての付加情報ＩＮＦのうち初期ユーザ名を含むもののみを検索して抽出し、再生画像選択画面４０（図９）上に対応するサムネール画像４２と共に画像情報４３を整列して表示し、次のステップＳＰ１７へ移る。
【０１１２】
このときＣＰＵ５０は、付加情報ＩＮＦに初期ユーザ名が含まれる静止画像データＤＰのみ抽出することにより、ユーザが指定した条件に合致する静止画像データＤＰのサムネール画像４２のみに絞り込んで表示させることができるので、全ての静止画像データＤＰのサムネール画像４２を表示させた場合と比較して、ユーザが所望する静止画像を容易に探し出させることができる。
【０１１３】
ステップＳＰ３６においてＣＰＵ５０は、メニュー４１内に表示した「メモ内容検索」ボタン４１Ａの押下操作をユーザから受け付けたか否かを判定する。ここで肯定結果が得られると、このことはユーザがキーワードを基に絞り込みを行う意思を示したことを表しており、このときＣＰＵ５０はステップＳＰ３７へ移る。
【０１１４】
ステップＳＰ３７においてＣＰＵ５０は、表示部５７にキーワード選択画面３２（図６）を表示させてユーザにキーワードを選択させると共に、「ニュース」「ドラマ」といったキーワードが選択されたか否かを判定する。
【０１１５】
ここで肯定結果が得られると、このことは表示した選択肢の中からユーザがキーワードを選択したことを表しており、このときＣＰＵ５０は次のステップＳＰ３９へ移る。
【０１１６】
一方ステップＳＰ３７において否定結果が得られると、このことは「新規作成」が選択されて、キーワード選択画面３２に表示した選択肢以外のキーワードをユーザが入力する意思を示したことを表しており、このときＣＰＵ５０は次のステップＳＰ３８へ移る。
【０１１７】
ステップＳＰ３８においてＣＰＵ５０は、表示部５７にキーワード入力画面３３（図７）を表示させてユーザにキーワードを直接入力させ、次のステップＳＰ３９へ移る。
【０１１８】
ステップＳＰ３９においてＣＰＵ５０は、現在サムネールを表示中の静止画像データＤＰのなかから、選択又は入力されたキーワードを付加情報ＩＮＦに含む静止画像データＤＰを検索して抽出し、再生画像選択画面４０（図９）にサムネール画像４２及び画像情報４３を整列して表示して、次のステップＳＰ４０へ移る。
【０１１９】
ステップＳＰ４０においてＣＰＵ５０は、ユーザからの所定の操作指示によって選択されたサムネールの静止画像を表示部５７全体に表示させた後、再度ステップＳＰ３６に戻り、次に再生する静止画像を選択させる。
【０１２０】
このときＣＰＵ５０は、選択又は入力されたキーワードが付加情報ＩＮＦに含まれる静止画像データＤＰのみ抽出することにより、ユーザが指定した条件に合致する静止画像データＤＰのサムネール画像４２のみに絞り込んで表示させることができるので、全ての静止画像データＤＰのサムネール画像４２を表示させた場合と比較して、ユーザが所望する静止画像を容易に探し出させることができる。
【０１２１】
ちなみにＣＰＵ５０は、静止画像の再生を終了する所定の操作指示をユーザから受け付けた時点で、パーソナルコンピュータによる静止画像再生処理手順ＲＴ３を終了する。
【０１２２】
（１０）動作及び効果
以上の構成において、テレビジョン受像機４のＣＰＵ１０は、表示部１７に表示中の映像を取り込んで静止画像データＤＰとして記録する際に、ユーザに指定されたキーワード、ユーザ名及びテレビジョン番組名を付加情報ＩＮＦとして、電子透かし技術を用いて当該静止画像データＤＰに埋め込み、これをハードディスクドライブ２０又はメモリカード６に記録させる。
【０１２３】
これによりテレビジョン受像機４のＣＰＵ１０は、ＪＰＥＧ形式を維持したまま静止画像データＤＰに付加情報ＩＮＦを埋め込むことができるので、互換性を損なうことが無く、ＪＰＥＧ形式の静止画像データＤＰを再生可能な他の機器で当該静止画像データＤＰを再生した場合でも、静止画像を正しく再生させることができる。
【０１２４】
このときテレビジョン受像機４のＣＰＵ１０は、付加情報ＩＮＦを埋め込むことによる静止画像の変化をユーザに知覚されない程度に小さく抑えることができるので、画質の劣化によって当該ユーザに不快感を与えるようなことがない。
【０１２５】
またテレビジョン受像機４のＣＰＵ１０は、ハードディスクドライブ２０に記録された静止画像データＤＰを再生する際に、まず当該静止画像データＤＰから付加情報ＩＮＦを読み出すことができるので、サムネール画像４２に加えて、付加情報ＩＮＦに基づく画像情報４３を再生画像選択画面４０（図８）に表示することができ、再生する静止画像データＤＰをユーザに選択させる際の参考にさせることができる。
【０１２６】
さらにテレビジョン受像機４のＣＰＵ１０は、ユーザの指示に基づいて、指定されたキーワードを付加情報ＩＮＦに含む静止画像データＤＰを検索して抽出し、再生画像選択画面４０（図８）にサムネール画像４２及び画像情報４３を整列して表示することができるので、多数の静止画像データＤＰの中から、当該ユーザが所望する静止画像データＤＰを容易に選択させることができる。
【０１２７】
一方パーソナルコンピュータ７のＣＰＵ５０は、ＯＳの標準的な機能によって静止画像データＤＰを再生した場合、付加情報ＩＮＦが埋め込まれていたとしても、当該静止画像データＤＰがＪＰＥＧ形式を維持しているために、静止画像を正常に再生することができる。
【０１２８】
さらにパーソナルコンピュータ７のＣＰＵ５０は、情報付加静止画像再生プログラムを実行することにより、テレビジョン受像機４によって電子透かし技術を用いて埋め込まれた付加情報ＩＮＦを、ＪＰＥＧ形式の静止画像データＤＰから読み出すことができるので、静止画像を表示部５７に表示できるだけでなく、これから表示する静止画像データＤＰを選択させる際に、当該付加情報ＩＮＦの内容をサムネール画像４２と共に画像情報４３として表示でき、また当該付加情報ＩＮＦに基づいて当該静止画像データＤＰの検索や抽出を行うことができる。
【０１２９】
以上の構成によれば、テレビジョン受像機４のＣＰＵ１０は、ユーザに選択または入力された付加情報ＩＮＦを、電子透かし技術を用いて静止画像データＤＰに埋め込んで記録することができ、また当該付加情報ＩＮＦを読み出すことができるので、ＪＰＥＧ形式との互換性を維持しつつ、任意の付加情報ＩＮＦを静止画像データＤＰに埋め込むことができる。
【０１３０】
（１１）他の実施の形態
なお上述の実施の形態においては、付加情報ＩＮＦとして、テレビジョン番組名を自動的に埋め込み、またユーザ名を必ず選択させるようにした場合について述べたが、本発明はこれに限らず、テレビジョン番組の番組名を埋め込まないようにしたり、あるいはユーザ名を選択させないようにしても良く、そのうえこれらをユーザが自由に設定できるようにしても良い。
【０１３１】
また上述の実施の形態においては、付加情報ＩＮＦとして、ユーザ名、キーワード及びテレビジョン番組名を埋め込むようにした場合について述べたが、本発明はこれに限らず、テレビジョン放送局のチャンネル番号を自動的に埋め込むようにしたり、またＥＰＧ情報から抽出したテレビジョン番組の出演者の中から選択して埋め込むようにする等、種々のデータを付加情報ＩＮＦとして埋め込むようにしても良く、これにより静止画像データＤＰを検索する際のキーワードを詳細に指定できるので、ユーザに所望の静止画像データＤＰを一段と容易に選択させることができる。
【０１３２】
さらに上述の実施の形態においては、再生画像選択画面４０（図８）において付加情報ＩＮＦを画像情報４３として表示するようにした場合について述べたが、本発明はこれに限らず、当該再生画像選択画面４０上でユーザの操作によって当該画像情報４３を変更できるようにし、これに応じて静止画像データＤＰの付加情報ＩＮＦを書き換えるようにしても良い。
【０１３３】
さらに上述の実施の形態においては、静止画像データＤＰの記録形式としてＪＰＥＧ形式を用いるようにした場合について述べたが、本発明はこれに限らず、ビットマップ形式等の他の記録形式を用いて静止画像データＤＰを記録するようにしても良い。
【０１３４】
さらに上述の実施の形態においては、付加情報ＩＮＦを静止画像データＤＰに埋め込むようにした場合について述べたが、本発明はこれに限らず、動画像データや楽曲データ等の種々のデータに当該付加情報ＩＮＦを埋め込むようにしても良い。
【０１３５】
さらに上述の実施の形態においては、静止画像データＤＰを記録する記録媒体として、ハードディスクドライブ２０及びメモリカード６を用いるようにした場合について述べたが、本発明はこれに限らず、書き換え可能ＤＶＤ(Digital Versatile Disc)等の他の記録媒体を用いるようにしても良く、さらには外部のハードディスクドライブを接続し得るようにしても良い。
【０１３６】
さらに上述の実施の形態においては、本発明をテレビジョン受像機４に適用するようにした場合について述べたが、本発明はこれに限らず、ＤＶＤ録画再生装置、コンピュータ、ディジタルスチルカメラ、携帯電子端末、携帯電話等の種々の電子機器に適用するようにしても良い。
【０１３７】
さらに上述の実施の形態においては、受信手段としてのフロントエンド回路１３と、抽出手段としての映像処理回路１５と、付加情報埋込手段としてのＣＰＵ１０と、記録手段としてのハードディスクドライブ２０及びメモリカードモジュール２１とによってテレビジョン受信機としてのテレビジョン受像機４を構成する場合について述べたが、本発明はこれに限らず、その他種々の回路構成でなる受信手段と、抽出手段と、付加情報埋込手段と、記録手段とによってテレビジョン受信機を構成するようにしても良い。
【産業上の利用可能性】
【０１３８】
本発明は、テレビジョン受像機以外にも、ＤＶＤ記録再生装置や携帯電話等の、所定のデータ記録形式でデータの記録及び再生が可能な種々の電子機器にも適用できる。
【図面の簡単な説明】
【０１３９】
【図１】本発明によるテレビジョン放送受信システムの全体構成を示す略線図である。
【図２】テレビジョン受像機の構成を示す略線図である。
【図３】メモリカードモジュールの構成を示すブロック図である。
【図４】静止画像記録処理手順を示すフローチャートである。
【図５】付加情報記録確認画面を示す略線図である。
【図６】キーワード選択画面を示す略線図である。
【図７】キーワード入力画面を示す略線図である。
【図８】ユーザ名選択画面を示す略線図である。
【図９】再生画像選択画面を示す略線図である。
【図１０】テレビジョン受像機による静止画像再生処理手順を示すフローチャートである。
【図１１】パーソナルコンピュータの構成を示すブロック図である。
【図１２】パーソナルコンピュータによる静止画像再生処理手順を示すフローチャートである。
【符号の説明】
【０１４０】
１……テレビジョン放送受信システム、４……テレビジョン受像機、６……メモリカード、７……パーソナルコンピュータ、１０、５０……ＣＰＵ、１１、５４……ＲＡＭ、２０……ハードディスクドライブ。
【図１】
2005229523.tif 000003
【図２】
2005229523.tif 000004
【図３】
2005229523.tif 000005
【図４】
2005229523.tif 000006
【図５】
2005229523.tif 000007
【図６】
2005229523.tif 000008
【図７】
2005229523.tif 000009
【図８】
2005229523.tif 000010
【図９】
2005229523.tif 000011
【図１０】
2005229523.tif 000012
【図１１】
2005229523.tif 000013
【図１２】
2005229523.tif 000014